(57)【要約】【課題】１枚の電気光学パネルを用いて任意の異なる平面で複数画面表示可能な電気光学装置、電子機器及び電気光学装置の製造方法を提供する。【解決手段】液晶装置１は、第１表示領域２０１及び第２表示領域２０２を有し、液晶装置１１０を備えた液晶パネル１１と、液晶パネル１１の第２表示領域２０２に対応して配置された光ファイバ束６０を有する。これにより、光ファイバ束６０が配置される領域に対応する表示は、光ファイバ束６０の末端部が表示面となり、他の領域の表示面と異なる平面上に表示される。【選択図】    図５
2004184494.tif 000002
【特許請求の範囲】
【請求項１】
複数表示領域を有する電気光学装置であって、
電気光学物質を有する層と、
前記複数表示領域のうち隣り合う表示領域の境界に対応して配置された前記層を分割するための第１遮光部材と
を具備することを特徴とする電気光学装置。
【請求項２】
複数表示領域を有し、電気光学物質を有する層を備えた電気光学パネルと、
前記電気光学パネルの前記複数表示領域のうち少なくとも１つの表示領域に対応して配置された光伝送手段と
を具備することを特徴とする電気光学装置。
【請求項３】
前記光伝送手段は、ミラー、プリズム、導光管、光ファイバのいすれか１つであることを特徴とする請求項２記載の電気光学装置。
【請求項４】
前記複数表示領域のうち隣り合う表示領域の境界に対応して配置された前記層を分割するための第１遮光部材を更に具備することを特徴とする請求項２または請求項３いずれか一項に記載の電気光学装置。
【請求項５】
前記電気光学パネルに隣り合って配置されたバックライトを更に具備し、
前記バックライトには、前記複数表示領域のうち隣り合う表示領域の境界に対応して第２遮光部材が設けられていることを特徴とする請求項１から請求項４いずれか一項に記載の電気光学装置。
【請求項６】
前記光伝送手段は導光管、ミラーまたはプリズムであり、
前記電気光学パネルに対して、外光を伝送して照射する光ファイバを更に具備することを特徴とする請求項２記載の電気光学装置。
【請求項７】
請求項１から請求項６いずれか一項に記載の電気光学装置を備えることを特徴とする電子機器。
【請求項８】
複数表示領域を有し、電気光学物質を有する層を備えた電気光学パネルと、
前記電気光学パネルが組み込まれる筐体と、
前記電気光学パネルの前記複数表示領域のうち少なくとも１つの表示領域に対応して前記筐体に支持された光伝送手段と
を具備することを特徴とする電子機器。
【請求項９】
複数表示領域を有する電気光学装置の製造方法であって、
第１基板上に、前記複数表示領域のうち隣り合う表示領域の境界に対応して第１遮光部材を形成する工程と、
前記第１基板と第２基板とを対向配置してこれらの間に電気光学物質を封入する工程と
を具備することを特徴とする電気光学装置の製造方法。
【請求項１０】
前記第１遮光部材形成工程において、前記封入工程時に前記境界において前記第１基板、前記第２基板及び前記遮光部材とにより空間が形成されるように、前記第１遮光部材を形成することを特徴とする請求項９記載の電気光学装置の製造方法。
【発明の詳細な説明】
【０００１】
【発明の属する技術分野】
本発明は、複数画面表示の電気光学装置、電子機器及び電気光学装置の製造方法に関するものである。
【０００２】
【従来の技術】
電気光学装置の一例としての液晶装置は、電気光学パネルとしての一例としての液晶パネルを備える。液晶パネルは、一対の基板間に電気光学物質の一例としての液晶が挟時されて構成され、一方の基板が表示面となっている。
【０００３】
通常、同一平面上に複数画面を表示するのではなく異なる平面で複数画面を表示する液晶装置の場合、各画面毎に液晶パネルを設置している。また、１つの液晶パネルを用いて両面表示を行う液晶装置の場合、例えば一対の基板を有する液晶パネルを２つの領域に分割し、一方の領域に対応して一方の基板側に第１バックライトを配置し、他方の領域に対応して他方の基板側に第２バックライトを配置している（例えば特許文献１参照）。
【０００４】
【特許文献１】
特開２００１−２９８５１９（第３頁、
【図５】）
【発明が解決しようとする課題】
上述のように、異なる平面で複数画面を表示する液晶装置の場合、各画面毎に液晶パネルが必要となるので、液晶装置全体が大型化してしまうという問題があった。また、上述した１つの液晶パネルを用いて両面表示を行う液晶装置の場合、２枚の液晶パネルを用いる必要がないため、液晶装置全体の小型化が可能なものの、表示面が液晶パネルの表裏面に限定されてしまう。このため、液晶パネルの側面側に表示をするなど、任意の位置に複数の表示面を設定することができないという問題があった。
【０００５】
また、上述した１つの液晶パネルを用いて複数画面の表示を行う液晶装置の場合、一方の表示領域は他方の表示領域に対応して配置されるバックライトの光に影響されて、隣り合う表示領域の境界に近い領域の光度が明るくなり、表示面内での光むら、明度むらが生じてしまうという問題があった。
【０００６】
本発明は、上記問題点を解決するものであり、１枚の電気光学パネルを用いて任意の異なる平面で複数画面表示可能な電気光学装置、電子機器及び電気光学装置の製造方法を提供することにある。
【０００７】
また、本発明は、上記問題点を解決するものであり、１枚の電気光学パネルを用いて表示品位の高い複数画面表示可能な電気光学装置、電子機器及び電気光学装置の製造方法を提供することにある。
【０００８】
【課題を解決するための手段】
上記課題を解決するために本発明の電気光学装置は、複数表示領域を有する電気光学装置であって、電気光学物質を有する層と、前記複数表示領域のうち隣り合う表示領域の境界に対応して配置された前記層を分割するための第１遮光部材とを具備することを特徴とする。
【０００９】
本発明のこのような構成によれば、複数画面表示の電気光学装置において、隣り合う表示領域の境界に対応して第１遮光部材を設けることにより、一方の表示領域に対応して入射される光が他方の表示領域に入射されることがないので、他方の表示領域への光もれを防止することができ、光効率が良い。
【００１０】
本発明の他の電気光学装置は、複数表示領域を有し、電気光学物質を有する層を備えた電気光学パネルと、前記電気光学パネルの前記複数表示領域のうち少なくとも１つの表示領域に対応して配置された光伝送手段とを具備することを特徴とする。
【００１１】
本発明のこのような構成によれば、光伝送手段を設けることにより、１つの電気光学パネルを用いて、一部の表示領域の表示面を他の表示領域の表示面と異なる平面上に位置させることができる。すなわち、簡易な構造で小型化を実現しつつ、任意の異なる平面で複数画面表示可能な電気光学装置を得ることができる。
【００１２】
また、前記光伝送手段は、ミラー、プリズム、導光管、光ファイバのいすれか１つであることを特徴とする。
【００１３】
このように、光伝送手段として、ミラー、プリズム、導光管、光ファイバを用いることができる。
【００１４】
また、前記複数表示領域のうち隣り合う表示領域の境界に対応して配置された前記層を分割するための第１遮光部材を更に具備することを特徴とする。
【００１５】
このような構成によれば、隣り合う表示領域の境界に対応して第１遮光部材を設けることにより、一方の表示領域に対応して入射される光が他方の表示領域に入射されることがないので、他方の表示領域への光もれを防止することができ、光効率が良い。
【００１６】
また、前記電気光学パネルに隣り合って配置されたバックライトを更に具備し、前記バックライトには、前記複数表示領域のうち隣り合う表示領域の境界に対応して第２遮光部材が設けられていることを特徴とする。
【００１７】
このような構成によれば、異なる表示領域にそれぞれ設けられる光源からの光は、対応しない表示領域には入射されず、光効率が良い。
【００１８】
また、前記光伝送手段は導光管、ミラーまたはプリズムであり、前記電気光学パネルに対して、外光を伝送して照射する光ファイバを更に具備することを特徴とする。
【００１９】
このような構成によれば、光伝送手段が配置される表示領域の表示面を明るくすることができる。光伝送手段として、導光管、ミラーやプリズムを用いた場合、これらを通過する際に光の減衰が起きる。例えば、反射型液晶装置に適用した場合、表示に用いられる光は、光伝送手段を２回通過することとなるので、光の減衰は著しくなり、表示面が暗くなりやすい傾向にある。このような場合、液晶装置の周囲に、外光を取り入れ、その光を液晶パネルに対して伝送する光ファイバを複数設けることにより、表示面を明るくすることができる。また、透過型液晶装置に適用した場合においても、表示に用いられる光は光伝送手段を１回通過し、光の減衰が生じるため、外光を取り入れる光ファイバを設けることにより、光源を増やすことなく、明るい表示面を得ることができる。
【００２０】
本発明の電子機器は、上述に記載の電気光学装置を備えることを特徴とする。
【００２１】
このような構成によれば、小型化が可能で、任意の向きに表示面を有する複数画面表示可能な電気光学装置を得ることができる。
【００２２】
本発明の他の電子機器は、複数表示領域を有し、電気光学物質を有する層を備えた電気光学パネルと、前記電気光学パネルが組み込まれる筐体と、前記電気光学パネルの前記複数表示領域のうち少なくとも１つの表示領域に対応して前記筐体に支持された光伝送手段とを具備することを特徴とする。
【００２３】
このように、光伝送手段を直接電気光学パネルに接着せずに、筐体により支持させても良い。
【００２４】
本発明の電気光学装置の製造方法は、複数表示領域を有する電気光学装置の製造方法であって、第１基板上に、前記複数表示領域のうち隣り合う表示領域の境界に対応して第１遮光部材を形成する工程と、前記第１基板と第２基板とを対向配置してこれらの間に電気光学物質を封入する工程とを具備することを特徴とする。
【００２５】
本発明のこのような製造方法により製造された複数画面表示可能な電気光学装置においては、隣り合う表示領域の境界に対応して第１遮光部材が設けられているので、一方の表示領域に対応して入射される光が他方の表示領域に入射されることがないので、他方の表示領域への光もれを防止することができ、光効率が良い。
【００２６】
また、前記第１遮光部材形成工程において、前記封入工程時に前記境界において前記第１基板、前記第２基板及び前記遮光部材とにより空間が形成されるように、前記第１遮光部材を形成することを特徴とする。
【００２７】
このような構成によれば、電気光学物質は、空間を通過して、第１遮光部材により分割された隣り合う表示領域間を流通することができるので、表示領域毎に別々に電気光学物質の封入工程を設ける必要がなく、製造効率が良い。
【発明の実施の形態】
以下に、本発明に係る電子機器の一例として携帯電話機を例にあて、図１〜図３を用いて説明する。
【００２８】
図１、図２及び図３は、いずれも本発明に係る電子機器の一実施形態である折畳式の携帯電話機１００を示している。図１は開いた状態の携帯電話機１００の斜視図であり、図２は閉じた状態の形態電話機１００の平面図であり、図３は開いた状態の携帯電話機１００の概略断面図である。
【００２９】
携帯電話機１００は、筐体に本発明に係る電気光学装置の一例としての液晶装置１が組み込まれて構成されている。筐体は、ヒンジ部１３２と、このヒンジ部１３２を介して接続された第１筐体１３１及び第２筐体１３０とから構成され、携帯電話機１００は開閉可能に設計されている。
【００３０】
携帯電話機１００を閉じた状態における第１筐体１３１の第２筐体１３０と対向する面側には、複数の操作ボタン１３３及び送話口（図示せず）が設けられている。更に、第１筐体１３１には、後述する第２筐体１３０に組み込まれた液晶装置１の一部を構成するファイバ束６０を収納する貫通した孔１２０が設けられている。
【００３１】
携帯電話機１００を閉じた状態における第２筐体１３０の第１筐体１３１と対向する面側に受話口（図示せず）が設けられている。更に、第２筐体１３０にはアンテナ１３４が設けられている。液晶装置１は、第２筐体１３０によって保持され、その表示面が、携帯電話機１００を閉じた状態の時に、第１筐体１３１と対向する面側に位置するように設計されている。
【００３２】
詳細については後述するが、液晶装置１は、液晶パネル１１と、液晶パネル１１に対して光を照射するバックライト１０と、液晶パネル１１の表示領域の一部に重なり合って配置された光ファイバ束６０とから構成される。液晶パネル１１は、電気光学物質である液晶を挟むように対向配置されたアレイ基板２６及び対向基板２０とからなる。本実施形態においては、液晶パネル１１のアレイ基板２６側が表示面となっている。液晶パネル１１は、複数表示領域、例えば本実施形態においては、第１表示領域２０１と第２表示領域２０２との２つの表示領域を有し、光ファイバ束６０は第２表示領域２０２に対応して配置されている。光ファイバ束６０は、本実施形態においては５４本の光ファイバ６０が束ねられて形成される。光ファイバ束６０は、液晶パネル１１と接しない側の末端部が表示面として機能する。すなわち、第１表示領域２０１においては、液晶パネル１１のアレイ基板２６面が表示面として用いられ、第２表示領域２０２においては、光ファイバ束６０の末端部が表示面として用いられる。従って、第１表示領域２０１における表示面と第２表示領域２０２における表示面とは、同じ平面上に位置せず、異なる平面上に位置していることとなる。すなわち、光ファイバ６０を配置することにより、１つの液晶パネル１１を用いて複数の異なる平面上にある画面表示が可能となる。
【００３３】
本実施形態においては、携帯電話機１００を閉じている状態では、光ファイバ６０は孔１２０に挿入され、光ファイバ６０の末端部からなる表示面だけを視認することとなる。携帯電話機１００を閉じている際、第１表示領域２０１は表示を行う必要がないため第１表示領域２０１は駆動させず、第２表示領域２０２のみを駆動して時刻やメールの着信情報などの情報を表示させることができる。従って、消費電力を少なくすることができる。
【００３４】
一方、携帯電話機１００を開けている状態では、例えば、第１表示領域２０１及び第２表示領域２０２の両方を駆動し、両表示領域を用いて１つの画面表示を行うことができる。また、第１表示領域２０１と第２表示領域２０２とをそれぞれ別々の画面表示を行うこともできる。この場合、第１表示領域２０２の表示面と第２表示領域２０１の表示面とは同一平面上に位置しないため、視覚的にそれぞれの表示領域の区別がつきやすく、各表示情報が見やすい表示面となる。
【００３５】
尚、上述の実施形態における携帯電話機１００においては、光伝送手段としての光ファイバ束６０は液晶パネル１１に接着した状態であるが、これに限定されるものではない。例えば、図４に示すように、第１筐体１３１の孔１２０に光ファイバ束６０を嵌めこみ、支持する構造の携帯電話機１００´としても良い。この場合、上述の構造と比較して、液晶装置１´は、光ファイバ束６０が設けられていない構造となる。尚、図４において、図１と同じ構造については同じ符号を付している。この形態においては、携帯電話機１００を閉じた状態で、光ファイバ束６０と液晶装置１´とが接触するように構成される。一方、携帯電話機１００を開けた状態では、液晶装置１´上に光ファイバ束６０が存在しないため、第１表示領域２０２の表示面と、第２表示領域２０１の表示面に対応する液晶装置１´の表示面とは同一平面上に位置することとなる。このため、液晶装置１´の表示面全てを用いて１つの画面表示を行った場合、表示領域が連続するため視覚的に見やすい表示面となる
次に、上述の携帯電話機１００に組み込まれる液晶装置１について説明する。
【００３６】
（第１実施形態）
以下に第１実施形態に係る電気光学装置としての液晶装置について図５〜図７を用いて説明する。
【００３７】
図５は液晶装置１の概略断面図である。図６は液晶装置１の一部を構成するバックライトの概略平面図である。図７は液晶パネル１１の概略断面図であり、図５に示す断面方向と直交する方向に切断した図に相当する。
本実施形態においては、液晶装置として、ＴＦＤ素子を用いたアクティブマトリクス型の半透過半反射型液晶装置に適用した場合を例にあげて説明する。尚、図面においては、各構成をわかりやすくするために、実際の構造と各構成における縮尺や数などが異なっている。
【００３８】
図５及び図７に示すように、液晶装置１は、液晶パネル１１と、液晶パネル１１を挟むように設けられた第１の偏光板１８ａ及び第２の偏光板１８ｂと、液晶パネル１１に隣接して配置されたバックライト１０を有する。更に、本実施形態の液晶装置１においては、液晶パネル１１は第１表示領域２０１と第２表示領域２０２とからなる表示領域を有し、第２表示領域２０２に対応した位置に、第１偏光板１８ａを介して液晶パネル１１に隣り合って光ファイバ束６０が配置されている。
【００３９】
液晶パネル１１は、対向配置されたアレイ基板２６及び対向基板２０と、これら一対の基板２０及び２６を貼り合わせる基板周縁部に設けられたシール材３と、一対の基板２０及び２６間に挟持された電気光学物質層としての９０度捩れのＴＮ液晶層１１０とを有している。一対の基板２０及び２６の間隙はスペーサ（図示せず）によって保持されている。
【００４０】
バックライト１０は、対向基板２０に隣接して配置されている。図５及び図６に示すように、バックライト１０は、ＬＥＤなどの光源７１ａ及び７１ｂと、光源７１ａおよび７１ｂ各々からの光が入射される導光板８ａ及び８ｂと、拡散シート３０、プリズムシート３１及び３２、反射シート５とを有している。拡散シート３０は、液晶パネル２の表示面内の光の輝度をより均一化させるためのものである。２枚のプリズムシート３１及び３２は、出射光の配向角を調整し、正面の輝度を向上させるためのものである。導光板８ａ及び８ｂは、導光板８ａ及び８ｂに対応して配置された液晶パネル１１に対し、光源部から出射された光を液晶パネル１１の面内に均一に照射するためのものであり、アクリル樹脂やポリカーボネートなどから形成される。
【００４１】
本実施形態においては、導光板８ａは液晶パネル１１の第１表示領域２０１に対応して配置され、導光板８ａにはその側面に配置された光源７１ａからの光が入射される。導光板８ｂは液晶パネル１１の第２表示領域２０２に対応して配置され、導光板８ｂにはその側面に配置された光源７１ｂからの光が入射される。隣り合う表示領域各々に配置された導光板８ａ及び導光板８ｂの境界には、不透明エポキシ樹脂、不透明の熱硬化プラスチック等からなる第２遮光部材としての遮光板７０が配置されている。すなわち、本実施形態のバックライト１０では、光源及び導光板は、第１表示領域２０１と第２表示領域２０２にそれぞれ対応して別々に設けられ、拡散シート、プリズムシート及び反射シートといった光学シートは第１表示領域２０１及び第２表示領域２０２の両方で共有している。これにより、液晶装置１が透過型液晶装置として機能する場合には、光源７１ａからの光は、液晶パネル１１の第１表示領域２０１における表示にほぼ用いられ、光源７１ｂからの光は、液晶パネル１１の第２表示領域２０２における表示にほぼ用いられる。このように、複数画面表示を行う場合、それぞれの表示面毎に光源を設けることにより、別々に光源のオン、オフ制御が可能となる。従って、表示が行われない画面に対応する光源からの光照射を停止することができ、消費電力を低減することができる。更に、本実施形態においては、隣り合う表示表域各々に配置される導光板間に遮光板７０を設けているので、一方の光源からの光は、この他方の光源に対応する導光板には入射されず、光効率が良い。
【００４２】
例えば、上述のような折畳式の携帯電話機１００に液晶装置１を搭載した場合、携帯電話機１００を閉じた状態では第１表示領域２０１による表示は不要であるので、第２表示領域２０２の表示に用いられる光源７１ｂのみを用いればよく、光源７１ａのスイッチをオフすることができる。更に、遮光板７０を設けることにより、光源７１ｂからの光は導光板８ｂのみに入射されて導光板８ａには入射されないため、効率よく第２表示領域２０２に対して光が入射される。
【００４３】
図５及び図７に示すように、液晶パネル１１を構成するアレイ基板２６は、第１基板９ａと、第１基板９ａ上に配置されたデータ線２５と、ＴＦＤ素子（図示せず）と、画素電極（図示せず）と、第１遮光部材としての遮光壁５２と、これらを覆う配向膜１６ａとを有している。第１基板９ａは透明なガラスなどから構成される。データ線２５は、後述する走査線２４とほぼ直交するように配置されている。スイッチング素子としてのＴＦＤ素子は、データ線２５に電気的に接続している。画素電極はＩＴＯ（Ｉｎｄｉｕｍ  Ｔｉｎ  Ｏｘｉｄｅ）からなり、各ＴＦＤ素子に電気的に接続して配置されている。配向膜１６ａはポリイミドなどから形成される。
【００４４】
遮光壁５２は、黒色樹脂を分散させたアクリル樹脂やポリカーボネート樹脂などから形成され、フォトリソグラフィ法を用いて形成される。遮光壁５２は、隣り合う第１表示領域２０１と第２表示領域２０２との境界に対応して配置される。遮光壁５２は、縦断面が台形、横断面が円形の柱状物体が複数、ほぼ直線上に配置されて構成される。本実施形態においては、液晶パネル１１としたときに、遮光壁５２は、対向基板２０に配向膜１６ａを介して当接した形態となっている。
【００４５】
このように、液晶パネル１１の隣り合う表示領域間に遮光壁５２を設けることにより、一方の表示領域に対応して配置されたバックライトまたは外光からの光は、他方の表示領域の液晶層に入射されないので、光効率が良い。例えば、上述のような折畳式の携帯電話機１００に液晶装置１を搭載した場合、携帯電話機１００を閉じた状態では第２表示領域のみが視認され、この第２表示領域２０２の表示には光源７１ｂからの光が用いられる。この場合、光源７１ｂからの光は、第２表示領域２０２に対応する液晶層１１０に入射されるが、第１表示領域２０１に対応する液晶層１１０へは遮光壁５２によって、その入射が遮断されるため、第１表示領域２０１への光もれを軽減することができ、光効率がよい。
【００４６】
更に、図７に示すように、遮光壁５２の縦断面形状はぎざぎざ形状を有しているので、液晶パネル１１の状態で、遮光壁５２が配置される領域におけるアレイ基板２６と対向基板２０との間には空間１１１が生じる。従って、液晶パネル１１の状態において、第１表示領域２０１に対応する液晶層１１０と第２表示領域２０２に対応する液晶層１１０とは、遮光壁５２により完全に分割、分離されることがない。言い換えると、遮光壁５２が配置される領域におけるアレイ基板２６と対向基板２０との間に生じる空間１１１を通って、液晶は第１表示領域２０１と第２表示領域２０２との間を流通可能である。このように、液晶パネル１１とした際に、遮光壁５２が形成される領域に対応するアレイ基板２６と対向基板２０との間に隙間が生じるように遮光壁５２を形成することにより、液晶注入工程において、第１表示領域２０１及び第２表示領域２０２それぞれに対応する領域に液晶を別々に注入する必要がなく、液晶注入口を共通化することができる。
【００４７】
尚、液晶パネル１１の状態で、遮光壁５２を、遮光壁５２が形成される領域に対応するアレイ基板２６と対向基板２０との間に隙間が生じないように、遮光壁５２を形成しても良い。これにより、光もれを確実に防止することができる。この場合においては、第１表示領域２０１及び第２表示領域２０２それぞれに対応して、液晶注入口を設ければ良い。
【００４８】
更に、アレイ基板２６は対向基板２０より張り出した張り出し部を有し、貼り出し部には、走査線２４及びデータ線２７などを駆動する駆動用ＩＣ（図示せず）及びこの駆動用ＩＣと配線基板（図示せず）とを電気的に接続するための端子部が配置されている
一方、図５及び図７に示すように、液晶パネル１１を構成する対向基板２０は、第２基板９ｂと、第２基板９ｂ上に順に形成された散乱樹脂層５１、反射膜５０、着色層１６０、オーバーコート膜１３、酸化ケイ素膜２３、走査線２４及び配向膜１６ｂとを有する。第２基板９ｂは透明なガラスなどから構成される。反射膜５０は例えばアルミニウム膜からなり、反射膜５０には各画素毎に対応して孔５０ａが設けられている。液晶装置１が透過型液晶装置として機能する場合、バックライト１０からの光は、この孔５０を通って液晶層１１０へ入射され、液晶層１１０にて偏光されて液晶装置１の外部へと出射されて、表示が行われる。一方、液晶装置１が外光の光を利用して表示を行う反射型液晶装置として機能する場合、外光は第１基板９ａ及び液晶層１１０を通過して、反射膜５０で反射し、この反射光が液晶層１１０にて偏光されて液晶装置１の外部へと出射されて、表示が行われる。着色層１６０は、複数色の着色層、例えば赤色着色層１６０Ｒ、緑色着色層１６０Ｇ、青色着色層１６０Ｂからなり、これら各色着色層が順にストライプ状に形成されて構成される。更に、本実施形態においては、各絵素を区画するように格子状、デルタ（トライアングル）状配列に赤色着色層４０Ｒ、緑色着色層４０Ｇ及び青色着色層４０Ｂの３色が積層してなる遮光層４０が配置される。この遮光層４０は、赤色着色層１６０Ｒ、緑色着色層１６０Ｇ、青色着色層１６０Ｂの形成と同一の工程で形成される。オーバーコート層１３は例えばアクリル樹脂などから形成される。酸化ケイ素膜２３は、オーバーコート層１３と走査線２４との密着性を高めるために形成される。走査線２４は、ストライプ状に形成された着色層１６０とほぼ直交するようにストライプ状にＩＴＯから形成される。配向膜１６ｂはポリイミドなどから形成される。
【００４９】
液晶装置１では、対向する走査線２４と、画素電極と、これらに挟持される液晶１１０とにより絵素が形成される。各絵素には、赤色着色層１６０Ｒ、緑色着色層１６０Ｇ及び青色着色層１６０Ｂのいずれかが対応して配置され、赤、緑及び青の３色の絵素により１画素が形成される。
【００５０】
光ファイバ束６０は、複数の光ファイバ６０ａが束ねられて形成される。本実施形態においては、１画素に１つの割合で光ファイバ６１ａが設けられている。
【００５１】
光ファイバ束６０が設けられた第２表示領域２０２において、バックライト１０を用いて表示を行う場合、光源７１ｂからの光は、第２偏光板１８ｂ、液晶パネル１１を通過し、液晶パネル１１の液晶層１１０によって偏光された後、第１偏光板１８ａ及び光ファイバ束６０を通過する。一方、第２表示領域２０２において、外光を用いて表示を行う場合、外部から液晶装置１に入射される光は、光ファイバ束６０、第１偏光板１８ａを通過して、液晶パネル１１の反射膜５０により反射する。この反射光が、液晶パネル１１の液晶層１１０によって偏光された後、第１偏光板１８ａ及び光ファイバ束６０を通過する。光ファイバ束６０の末端部は前述したように表示面として機能するので、光ファイバ束６０を通過した光は、光ファイバ束６０の末端部からなる表示面に表示される。
【００５２】
これに対し、光ファイバ束６０が設けられていない第１表示領域２０１においては、液晶装置１のアレイ基板２６側の面が表示面として機能する。すなわち、本実施形態においては、一般的な液晶装置に光ファイバ束６０を設けることにより、１つの液晶パネルを用い、異なる平面上に複数の画面表示が可能な液晶装置１を得ることができる。また、本実施形態においては、光伝送手段として、光の減衰がほとんどない光ファイバ束を用いているので、光ファイバ６０ａを伝播する表示情報の減衰がほとんどなく、バックライト１０や外光の光利用効率が高い。
【００５３】
次に、上述の液晶装置１の製造方法について説明する。
【００５４】
まず、アレイ基板２６及び対向基板２０それぞれを製造する。アレイ基板２６においては、まず第１基板９ａ上にデータ線２５、ＴＦＤ素子、画素電極を既知の方法で形成する。その後、第１表示領域２０１と第２表示領域２０２との境界部分に、フォトリソグラフィ法を用いて複数の柱状物体からなる遮光壁５２を形成する。その後、データ線２５、ＴＦＤ素子、画素電極及び遮光壁５２を覆うように配向膜１６ａを形成する。対向基板２０においては、第２基板９ｂ上に、既知の方法で、散乱樹脂層５１、反射膜５０、着色層１６０、遮光層４０、オーバーコート膜１３、酸化ケイ素膜２３、走査線２４及び配向膜１６ｂを形成する。
【００５５】
次に、アレイ基板２６と対向基板２０とを、配向膜が形成された面が互いに対向するように配置し、一方の基板に塗布した液晶注入口を有するほぼ矩形状のシール材３により貼り合せる。この際、アレイ基板２６上に形成された遮光壁５２は、対向基板２０に配向膜１６ａを介して当接した状態となっている。その後、液晶注入口からアレイ基板２６、対向基板２０及びシール材３により囲まれた空間内に液晶を注入する。この際、アレイ基板２６、対向基板２０及びシール材３により囲まれた空間は、遮光壁５２によって完全に分離されていないので、第１表示領域２０１に対応する領域への液晶注入と第２表示領域２０２に対応する領域への液晶注入を共通の液晶注入口から行うことができる。液晶注入終了後、液晶注入口を封止材により封止し、液晶パネル１１が完成する。
【００５６】
その後、液晶パネル１１を挟み込むように、一対の偏光板１８ａ及び１８ｂを配置した後、液晶パネル１１の第２表示領域２０２に対応する位置に偏光板１８ａを介して光ファイバ束６０を配置する。その後、バックライトを対向基板２０側に配置して、液晶装置１が完成する。
【００５７】
本実施形態においては、第１表示領域２０１と第２表示領域２０２それぞれの表示面がいずれも液晶装置１の表示面側に位置していたが、これに限定されるものではない。例えば、光ファイバ束６０の形状を曲げ、その末端部を液晶装置１の側面側に位置させ、第１表示領域と第２表示領域それぞれの表示面が直交するように配置させれば、液晶装置１の正面と側面に画面表示を行うことができる。また、他には、光ファイバ束６０の形状を曲げ、その末端部を液晶装置１の裏面側（バックライト側）に位置させれば、両面表示可能な液晶装置１を得ることができる。このように光ファイバ６０の末端部の位置を変えることにより、任意の方向に表示面を配置することができる。
【００５８】
また、本実施形態においては、異なる画面をそれぞれを表示する表示面が異なる平面上にある場合において説明したが、異なる画面をそれぞれ表示する表示面が同一平面上にある場合においても、液晶層に遮光壁を設けることは有効である。すなわち、一方の表示領域に対応して入射される光が他方の表示領域に入射されることがないので、他方の表示領域への光もれを防止することができる。
【００５９】
また、上述の実施形態においては、光伝送手段として複数の光ファイバが束ねられて形成された光ファイバ束を設けたが、光ファイバの変わりに導光管（光導波管）を用いても良い。この場合、光ファイバをそのまま導光管に置き換えることができ、複数の導光管の末端部が表示面として機能する。
【００６０】
更に、光伝送手段として、ミラーやプリズムを用いることもでき、以下にミラーやプリズムを光伝送手段として用いた場合における実施形態について説明する。
【００６１】
（第２実施形態）
以下に、光伝送手段としてミラーを用いた場合について図８を用いて説明する。図８は本実施形態における液晶装置１４０の概略断面図である。本実施形態においては、第１実施形態と比較して、光伝送手段としてミラーを用いる点、光伝送手段により表示される表示面が、液晶装置１４０の第１表示領域における表示面と対向する裏面側に位置する点で主に異なる。以下、第１実施形態と同様の構造については説明を省略し、異なる点について主に説明する。
【００６２】
第２実施形態における液晶装置１４０は、第１表示領域２４１及び第２表示領域２４２を有する。光伝送手段としてのミラー６１は第２表示領域２４２に対応して配置される。ミラーは、３つの第１ミラー６１ａ、第２ミラー６１ｂ及び第３ミラー６１ｃから構成される。第１ミラー６１ａは、液晶パネル１１のアレイ基板２６に隣接して設けられ、第１ミラー６１ａとアレイ基板２６との間には第１偏光板１８ａは設けられていない。第３ミラー６１ｃは、液晶パネル１１の側面に隣接して設けられ、その一部の面に重なって延在した第２偏光板１８ｂが配置されている。第２ミラー６１ｂは、第１ミラー６１ａと第３ミラー６１ｃとの間に位置している。
【００６３】
本実施形態においては、第２表示領域２４２における表示は、ミラー６１を通過し、液晶装置１４０の外部に出射した光を用いて行われ、その表示面は、第２偏光板１８ｂと第３ミラー６１ｃとが重なり合った領域に対応する。
【００６４】
ミラー６１が設けられた第２表示領域２４２において、バックライト１０を用いて表示を行う場合、光源７１ｂからの光は、実線の矢印に示すように、第２偏光板１８ｂ、液晶パネル１１を通過し、液晶パネル１１の液晶層１１０によって偏光された後、第１ミラー６１に入射される。その後、実線の矢印に示すように、第１ミラー６１ａに入射された光は反射し、その反射光が第２ミラー６１ｂに入射され、更に反射し、その反射光が第３ミラー６１ｃに入射され、更に反射し、その反射光が第２偏光板１８ｂを通過する。一方、第２表示領域２４２において、外光を用いて表示を行う場合、外部から液晶装置１４０に入射される光は、点線の矢印に示すように、第２偏光板１８ｂを通過し、第３ミラー６１ｃに入射される。その後、点線の矢印に示すように、第３ミラー６１ｃに入射された光は反射し、その反射光が第２ミラー６１ｂに入射され、更に反射して、その反射光が第１ミラー６１ａに入射され、更に反射して、その反射光が液晶パネル１１に入射される。そして、入射された光は、液晶パネル１１の反射膜５０により反射し、この反射光が、液晶パネル１１の液晶層１１０によって偏光された後、再度第１ミラー６１ａ、第２ミラー６１ｂ、第３ミラー６１ｃ、第２偏光板１８ｂを通過する。そして、第２偏光板１８ｂを通過して、液晶装置１４０の外部に出射された光は、第３ミラー６１ｃと第２偏光板１８ｂとが重なり合う領域にほぼ相当する表示面に表示される。尚、図において、点線の矢印は、外光を用いた表示を行う場合における光の動きを示すものであり、反射膜５０に反射した反射光が第１ミラー６１ａに入射されるまでの動きを示している。その後の光の動きについては、実線の矢印と同じとなるため、ここでは省略している。
【００６５】
以上のように、本実施形態においても、一般的な液晶装置に光伝送手段としてのミラーを設けることにより、１つの液晶パネルを用いて、異なる平面上で複数画面表示が可能な液晶装置１４０を得ることができる。
【００６６】
（第３実施形態）
以下に、光伝送手段としてミラーを用いた場合について図９を用いて説明する。図９は本実施形態における液晶装置１５０の概略断面図である。本実施形態においては、第２実施形態と比較して、光伝送手段としてミラーを用いる点で同じであるが、第３ミラーに隣り合って配置される偏光板の位置を変えている点で主に異なる。これにより、本実施形態においては、光伝送手段により表示される表示面が、液晶装置１５０の側面に位置する。以下、第２実施形態と異なる点について主に説明する。
【００６７】
第３実施形態における液晶装置１５０は、第１表示領域２５１及び第２表示領域２５２を有する。光伝送手段としてのミラー６４は第２表示領域２５２に対応して配置される。ミラーは、３つの第１ミラー６４ａ、第２ミラー６４ｂ及び第３ミラー６４ｃから構成される。第１ミラー６４ａは、液晶パネル１１のアレイ基板２６に隣接して設けられ、第１ミラー６４ａとアレイ基板２６との間には第１偏光板１８ａは設けられていない。第３ミラー６４ｃは、液晶パネル１１の側面に隣接して設けられ、その一部の面には第３偏光板１８ｃが配置されている。第３偏光板１８ｃは、第３ミラー６４ｃを介して液晶パネル１１と対向するように設けられている。更に、第３偏光板１８ｃの第３ミラー６４ｃと接する側の面と対向する面側には拡大レンズ６３が設けられている。第２ミラー６４ｂは、第１ミラー６４ａと第３ミラー６４ｃとの間に位置している。
【００６８】
本実施形態においては、第２表示領域２５２における表示は、ミラー６４から液晶装置１５０の外部へ出射される光を用いて行われ、その表示面は、拡大レンズ６３が配置されている領域、言い換えると第３偏光板１８ｃと第３ミラー６４ｃとが重なり合った領域に対応する。
【００６９】
ミラー６４が設けられた第２表示領域２５２において、バックライト１０を用いて表示を行う場合、光源７１ｂからの光は、実線の矢印に示すように、第２偏光板１８ｂ、液晶パネル１１を通過し、液晶パネル１１の液晶層１１０によって偏光された後、第１ミラー６４ａに入射される。その後、実線の矢印に示すように、第１ミラー６４ａに入射された光は反射し、その反射光が第２ミラー６４ｂに入射され、更にその反射光が第３ミラー６４ｃに入射され、更にその反射光が第３偏光板１８ｃ及び拡大レンズ６３を通過する。一方、第２表示領域２５２において、外光を用いて表示を行う場合、外部から液晶装置１５０に入射される光は、点線の矢印に示すように、拡大レンズ６３及び第３偏光板１８ｃを通過し、第３ミラー６４ｃに入射される。その後、点線の矢印に示すように、第３ミラー６４ｃに入射された光は反射し、その反射光が第２ミラー６１ｂに入射され、更にその反射光が第１ミラー６１ａに入射され、更にその反射光が液晶パネル１１に入射される。そして、入射された光は、液晶パネル１１の反射膜５０により反射し、この反射光が、液晶パネル１１の液晶層１１０によって偏光された後、再度第１ミラー６４ａ、第２ミラー６４ｂ、第３ミラー６４ｃ、第３偏光板１８ｃ、拡大レンズ６３を通過する。そして、拡大レンズ６３を通過した光は、第３ミラー６４ｃと第３偏光板１８ｃとが重なり合う領域にほぼ相当する表示面に表示される。尚、図において、点線の矢印は、外光を用いた表示を行う場合における光の動きを示すものであり、反射膜５０に反射した反射光が第１ミラー６４ａに入射されるまでの動きを示している。その後の光の動きについては、実線の矢印と同じとなるため、ここでは省略している。
【００７０】
以上のように、本実施形態においても、一般的な液晶装置に光伝送手段としてのミラーを設けることにより、異なる平面上に複数画面表示が可能な液晶装置１５０を得ることができる。更に、本実施形態においては、拡大レンズを設けているため、第２表示領域における表示情報を拡大して視認することができる。
【００７１】
上述の第２実施形態及び第３実施形態においては、正面に加え、ミラーを３つ用いることによって裏面あるいは側面に表示面を設けた液晶装置について説明したが、これに限定されるものでなく、ミラーの数やその配置を変えることによって、任意の向きに表示面を位置させることが可能である。
【００７２】
（第４実施形態）
以下に、光伝送手段としてプリズムを用いた場合について図１０を用いて説明する。
【００７３】
図１０は本実施形態における液晶装置１６０の概略断面図である。本実施形態においては、第１実施形態と比較して、光伝送手段としてプリズムを用いる点、光伝送手段により表示される表示面が、液晶装置１６０の第１表示領域における表示面と角度をなしている点で異なる。以下、第１実施形態と同様の構造については説明を省略し、異なる点について主に説明する。
【００７４】
第４実施形態における液晶装置１６０は、第１表示領域２６１及び第２表示領域２６２を有する。光伝送手段としてのプリズム６５は第２表示領域２６２に対応して配置される。プリズム６５は、液晶パネル１１のアレイ基板２６に第１偏光板１８ａを介して隣り合って設けられている。本実施形態においては、第２表示領域２６２における表示は、プリズム６５の外部へ光が出射される面が表示面となる。
【００７５】
プリズム６５が設けられた第２表示領域２６２において、バックライト１０を用いて表示を行う場合、光源７１ｂからの光は、実線の矢印に示すように、第２偏光板１８ｂ、液晶パネル１１を通過し、液晶パネル１１の液晶層１１０によって偏光された後、第１偏光板１８ａを通過し、プリズム６５に入射される。実線の矢印に示すように、プリズム６５に入射された光は、屈折し、その屈折光が出射される。一方、第２表示領域２６２において、外光を用いて表示を行う場合、外部から液晶装置１６０に入射される光は、点線の矢印に示すように、プリズム６５、第２偏光板１８ｂを通過し、液晶パネル１１に入射される。入射された光は、液晶パネル１１の反射膜５０により反射し、この反射光が、液晶パネル１１の液晶層１１０によって偏光された後、第２偏光板１８ｂ及を通過して、プリズム６５に入射される。プリズム６５に入射された光は、屈折し、その屈折光が出射される。そして、プリズム６５から出射された光は、プリズムの光出射面に相当する表示面に表示される。
【００７６】
以上のように、本実施形態においても、一般的な液晶装置に光伝送手段としてのプリズムを設けるだけで、異なる平面上に複数画面表示が可能な液晶装置１６０を得ることができる。また、プリズムの配置は図１０に限定されるものではなく、プリズムの配置を変えて任意の向きに表示面を位置させることができる。例えば、図１１に示す液晶装置１７０のようにプリズム６６を配置して、第２表示領域２７２の表示面の向きを変えることもできる。尚、図１１は図１０と比較してプリズムの配置が異なる点でのみ相違する。
【００７７】
（第５実施形態）
上述の実施形態において、光伝送手段として、導光管、ミラーやプリズムを用いた場合、これらを通過する際に光の減衰が起きる。特に、反射型液晶装置として液晶装置が機能する場合、表示に用いられる光は、光伝送手段を２回通過することとなるので、光の減衰は著しくなり、表示面が暗くなりやすい傾向にある。このような場合、液晶装置の周囲に、外光を取り入れ、その光を液晶パネルに対して伝送する光ファイバを複数設けても良い。以下に、上述の図１０に示す液晶装置にこのような外光をとりいれる光ファイバを設けた場合の構造について、図１２及び図１３を用いて説明する。
【００７８】
図１２は、外光をとりいれる光ファイバを設けた液晶装置１６１の概略断面図である。図１３は、この液晶装置１６１の部分概略斜視図であり、外光をとりいれる光ファイバと液晶パネル１１との位置関係を説明するための図である。図１２及び図１３に示すように、本実施形態における液晶装置１６１においては、平面形状がほぼ矩形状の液晶装置１６１の周囲には、基板張り出し部に対応する辺以外の辺に沿って光ファイバ１７２が設けられている。光ファイバ１７２には、図１２に示す実線の矢印のように、外光が入射され、その外光は光ファイバ１７２内を伝播して、基板９ｂに入射される。基板９ｂに入射された光は、液晶装置１６１の表示に用いられる。従って、光伝送手段として、導光管、ミラーやプリズムを用い、更に外光を用いて表示を行う反射型表示を行う場合において、光ファイバ１７２を設けることにより、光源を増やすことなく、第２表示領域の表示面を明るくすることができる。また、バックライトを用いて表示を行う場合においても、光源を増やすことなく表示面を明るくすることができる。
【００７９】
上述の実施形態においては、光伝送手段としてミラーやプリズムを用いる場合、設ける数によって、表示情報が反転する場合がある。このような場合、光伝送手段が設けられる表示領域の表示情報を元に戻すためのドライバを設けたり、表示情報が反転しないように、ミラーやプリズムの数を調整すればよい。
【００８０】
上述の実施形態においては、液晶パネル１１に設ける遮光壁５２はいずれもアレイ基板側に形成されていたが、これに限定されるものではなく、対向基板側に形成しても良い。
【００８１】
また、上述の実施形態においては２画面表示を例にあげたが、３画面以上の複数画面表示も可能であり、光伝送手段の配置を変えることにより各画面の表示面の向きを任意に変えることができる。
【００８２】
また、上述した実施形態では、電気光学装置として、半透過半反射型のＴＦＤ素子を用いたアクティブマトリクス型の液晶装置を例にあげたが、これに限られものではない。例えば、反射型液晶装置や透過型液晶装置、ＴＦＴ素子を用いたアクティブマトリクス型の液晶装置や単純マトリクス型の液晶装置に適用できることは言うまでもない。また、上述した実施形態では、電気光学装置として、液晶装置に適用した場合について説明したが、本発明はこれに限定されず、エレクトロルミネッセンス装置、特に、有機エレクトロルミネッセンス装置、無機エレクトロルミネッセンス装置等や、プラズマディスプレイ装置、ＦＥＤ（フィールドエミッションディスプレイ）装置、ＬＥＤ（発光ダイオード）表示装置、電気泳動表示装置、薄型のブラウン管、液晶シャッター等を用いた小型テレビ、デジタルマイクロミラーデバイス（ＤＭＤ）を用いた装置などの各種の電気光学装置に適用できる。
【００８３】
さらに、上述の実施形態においては、電子機器として携帯電話機を例にあげて説明したが他の電子機器に適用することもできる。例えば、電子機器として、モバイル型パーソナルコンピュータ、ディジタルウォッチ、ディジタルスチルカメラ、タッチパネル、電卓、液晶テレビ、プロジェクタ、ビューファインダ型、モニタ直視型のビデオテープレコーダ、カーナビゲーション装置、ページャ、電子手帳、ワードプロセッサ、ワークステーション、テレビ電話機、ＰＯＳ端末機などがあげられる。そして、これらの各種電子機器の表示部として本発明に係る電気光学装置を用いることができ、複数画面表示が可能な電子機器を得ることができる。
【図面の簡単な説明】
【図１】実施形態に係る携帯電話機の斜視図である。
【図２】図１に示す携帯電話機の概略平面図である。
【図３】図１に示す携帯電話機の概略断面図である。
【図４】他の実施形態に係る携帯電話機の斜視図である。
【図５】第１実施形態における液晶装置の断面図である。
【図６】図５に示す液晶装置のバックライトの導光板の概略平面図である。
【図７】図５の断面方向と直交して切断した液晶装置の断面図である。
【図８】第２実施形態に係る液晶装置の断面図である。
【図９】第３実施形態に係る液晶装置の断面図である。
【図１０】第４実施形態に係る液晶装置の断面図である。
【図１１】第４実施形態に係る他の液晶装置の断面図である。
【図１２】第５実施形態に係る液晶装置の断面図である。
【図１３】図１２に示す液晶装置の部分斜視図である。
【符号の説明】
１、１４０、１５０、１６０、１６１…液晶装置
１１…液晶パネル
５２・・・遮光壁
６０・・・光ファイバ束
６０ａ・・・光ファイバ
６１、６４・・・ミラー
６５、６６・・・プリズム
７０・・・遮光板
１００…携帯電話機
１１１・・・液晶層
１３０・・・第２筐体
１３１・・・第１筐体
２０１、２４１、２５１，２６１…第１表示領域
２０２、２４２，２５２、２６２…第２表示領域
１７２・・・光ファイバ
【図１】
2004184494.tif 000003
【図２】
2004184494.tif 000004
【図３】
2004184494.tif 000005
【図４】
2004184494.tif 000006
【図５】
2004184494.tif 000007
【図６】
2004184494.tif 000008
【図７】
2004184494.tif 000009
【図８】
2004184494.tif 000010
【図９】
2004184494.tif 000011
【図１０】
2004184494.tif 000012
【図１１】
2004184494.tif 000013
【図１２】
2004184494.tif 000014
【図１３】
2004184494.tif 000015